(57)【要約】【課題】転倒しても、破損や電解液のしみだしを防ぐことができる密閉形鉛蓄電池を提供する。【解決手段】正極板３と負極板４の間にセパレータ５を挟んで、複数の正極板３と負極板４を交互に積層し、正極板３の耳部３ａ同士を正極ストラップ６で連結し、負極板４の耳部４ａ同士を負極ストラップ７で連結した極板群２を電槽１０内に収容した密閉形鉛蓄電池において、前記正極ストラップ６や耳部３ａと前記電槽１０の側壁１０ａ間、および前記負極ストラップ７や耳部４ａと前記電槽１０の側壁１０ａ間に、転倒時の衝撃を緩和するためのスペーサ１を介在させる。【選択図】        図３
2004362965.tif 000002
【特許請求の範囲】
【請求項１】
正極板と負極板の間にセパレータを挟んで、複数の正極板と負極板を交互に積層し、正極板の耳部同士を正極ストラップで連結し、負極板の耳部同士を負極ストラップで連結した極板群を電槽内に収容した密閉形鉛蓄電池において、前記極板群のストラップが形成された上部と電槽側壁間にスペーサを差し渡って介在させたことを特徴とする密閉形鉛蓄電池。
【請求項２】
前記スペーサは、前記正極ストラップと前記負極ストラップの間、前記正極ストラップと前記電槽側壁間、および前記負極ストラップと前記電槽側壁間に差し渡って介在していることを特徴とする請求項１記載の密閉形鉛蓄電池。
【請求項３】
前記スペーサは、前記正極板の耳部と前記電槽側壁間、および前記負極板の耳部と前記電槽側壁間に差し渡って介在していることを特徴とする請求項１記載の密閉形鉛蓄電池。
【発明の詳細な説明】
【０００１】
【発明の属する技術分野】
本発明は、密閉形鉛蓄電池の構造に関し、特に電槽内における極板群の固定構造に関するものである。
【０００２】
【従来の技術】
従来の密閉形鉛蓄電池は、正極板と負極板の間に電解液を保持させた弾力性のあるセパレータを挟み、複数の正極板と負極板を交互に積層して極板群を構成し、この極板群を縦にして電槽内に収容して構成されている。前記電槽は被された蓋と溶着され、また、前記極板群の正極端子と負極端子は蓋に設けられた鉛ブッシングを貫通し、該ブッシングと溶接されている（例えば、特許文献１参照。）。
【０００３】
前記極板群は、積層方向に押圧されて電槽内に押し込むように収容されており、収容された極板群は電槽の側壁で積層方向に押圧されて、容易に動かないように固定されている。
【０００４】
【特許文献１】特開平１０−２１９５５号公報
【０００５】
【発明が解決しようとする課題】
しかしながら、従来の密閉形鉛蓄電池には以下のような問題があった。
即ち、密閉形鉛蓄電池が、蓄電池の横置き配置作業中に誤って激しく転倒（積層方向を軸にして回転して）させたり、振動などの外力で転倒すると、電槽内の極板群は片側が蓋のブッシングとの溶接部分で支持されることになる。この際、転倒の衝撃により、樹脂製の蓋のブッシングを固定する部分に大きな力が加わり、蓋が部分的に破損したり、蓋とブッシングとの間に微小な隙間が生じ、そこから電解液がしみだすという問題があった。
【０００６】
【課題を解決するための手段】
本発明は上記問題点を解決すべくなされたもので、請求項１記載の発明は、正極板と負極板の間にセパレータを挟んで、複数の正極板と負極板を交互に積層し、正極板の耳部同士を正極ストラップで連結し、負極板の耳部同士を負極ストラップで連結した極板群を電槽内に収容した密閉形鉛蓄電池において、前記極板群のストラップが形成された上部と電槽側壁間にスペーサを介在させたことを特徴とするものである。
【０００７】
請求項１記載の発明によれば、極板群のストラップが形成された上部と電槽側壁間にスペーサを介在させたため、密閉形鉛蓄電池が転倒しても、極板群が電槽や電槽に被せられた蓋などに与える衝撃を緩和し、破損や電解液のしみだしを防ぐことができる。
【０００８】
具体的には、請求項２に記載のように、前記スペーサを、前記正極ストラップと前記負極ストラップの間、前記正極ストラップと前記電槽側壁間、および前記負極ストラップと前記電槽側壁間に介在させる。
【０００９】
また、請求項３に記載のように、前記スペーサを、前記正極板の耳部と前記電槽側壁間、および前記負極板の耳部と前記電槽側壁間に介在させてもよい。
【００１０】
なお、本発明と特許文献１との相違点は、スペーサを差し渡って介在させている点である。
【００１１】
【発明の実施の形態】
以下、図面に基づいて本発明にかかる密閉形鉛蓄電池の第１の実施の形態を詳細に説明する。
【００１２】
図１（ａ）、（ｂ）はそれぞれ、上記実施形態に用いた転倒時の衝撃を緩和するためのスペーサの平面図および正面図である。また、図２（ａ）、（ｂ）はそれぞれ、上記実施形態の電槽内に電極群を収容し、スペーサを介在させる前の状態の平面図、および電槽側壁内の上部正面図である。さらに、図３は、上記実施形態の電槽側壁内の正面図である。
【００１３】
図１（ａ）、（ｂ）に示すように、スペーサ１は３個の介在部位１ａ、１ｂ、１ｃが２個の連結部位１ｄで連結された形状をなし、ポリプロピレンなどの耐酸性の樹脂からなる。
【００１４】
また、図２（ａ）、（ｂ）に示すように、極板群２は、正極板３と負極板４の間にセパレータ５を挟んで、複数の正極板３と負極板４を交互に積層し、正極板３の耳部３ａ同士を正極ストラップ６で連結し、負極板４の耳部４ａ同士を負極ストラップ７で連結して構成されている。なお、８は正極ストラップ６に設けられた正極端子であり、９は負極ストラップ７に設けられた負極端子である。この極板群２は、正極ストラップ６および負極ストラップ７が上側になるように電槽１０内に収容されている。
【００１５】
図３に示すように、本実施形態の密閉形鉛蓄電池では、極板群２が樹脂製の電槽１０内の発泡樹脂製の緩衝部材１１上に正極板３の脚部３ｂと負極板４の脚部４ｂで立脚するように載置されており、電槽１０には樹脂製の蓋１２が密閉するように溶着されている。
【００１６】
蓋１２には、２個の鉛ブッシング１３が設けられ、前記ブッシング１３には正極端子８と負極端子９が貫通し、溶接されている。１４は、異常内圧を低下させる機能を有する安全弁付き液口栓である。
【００１７】
スペーサ１は、図３に示すように（および、図２（ａ）の想像線で示すように）極板群２の上部に装着されて、極板群２の横方向（図３において、左右の方向）の動きを防いでいる。即ち、スペーサ１の介在部位１ｂは正極ストラップ６と負極ストラップ７の隙間にそれらに当接するように差し渡って介在している。また、介在部位１ｃは正極ストラップ６と電槽１０の側壁１０ａの隙間にそれらに当接するように差し渡って介在している。さらに、介在部位１ａは負極ストラップ７と電槽１０の側壁１０ａの隙間にそれらに当接するように差し渡って介在している。
【００１８】
本実施形態が従来と異なる特徴的なことは、上述のように、スペーサ１が極板群２の上部の横方向（図３において、左右の方向）の動きを防ぐように、極板群２の正極ストラップ６と負極ストラップ７が形成された上部に装着され、電槽１０の側壁１０ａとの間に差し渡って介在していることである。
【００１９】
したがって、本実施形態では、極板群２が積層方向を軸にして回転して（図３において、左右の方向に）転倒しても、蓋１２のブッシング１３を固定する部分に大きな衝撃力が加わることがなく、蓋１２が部分的に破損したり、蓋１２とブッシング１３との間に微小な隙間が生じるのを防ぎ、電解液がしみだすこともなくなる。
【００２０】
なお、正極ストラップ６と負極ストラップ７の隙間にそれらに当接するように介在している介在部位１ｂは必ずしも必要としないが、あった方がより効果がある。
【００２１】
本実施形態の密閉形鉛蓄電池は、以下のようにして組み立てる。
先ず、極板群２を積層方向に押圧し、セパレータ５を圧縮して電槽１０内に挿入する。挿入後には、セパレータ５が復元しようとする反力により、極板群２は電槽１０の側壁１０ａから押圧を受け、積層方向に固定される。次いで、スペーサ１を極板群２の正極ストラップ６と負極ストラップ７が形成された上部に装着する。その後、蓋１２を電槽１０に被せ、ブッシング１３に正極端子８と負極端子９を貫通させて、蓋１２と電槽１０を溶着し、また、ブッシング１３と正極端子８および負極端子９とを溶接し、さらに、ブッシング１３と正極端子８および負極端子９の隙間に接着剤１５を注入して密閉する。
【００２２】
なお、極板群２を積層方向に押圧して電槽１０内に挿入すると、挿入した状態では、電槽１０の極板群２が当接する部分は極板群２の積層方向への膨らみ力により外側への応力が掛かる為、電槽１０上端の開口部の該極板群２の積層方向と直交する電槽側壁は内側に窄み、歪んだ形状になる。しかしながら、本実施形態では、極板群２の上部に装着されたスペーサ１は、介在部位１ａ、１ｃが電槽１０の側壁１０ａに当接して、前記歪みを正すことができる。
【００２３】
次に、本発明にかかる密閉形鉛蓄電池の第２の実施の形態を詳細に説明する。図４（ａ）、（ｂ）はそれぞれ、本実施形態に用いたスペーサ２１の平面図および正面図である。また、図５（ａ）、（ｂ）はそれぞれ、本実施形態の電槽１０内に電極群２を収容し、スペーサ２１を介在させる前の状態の平面図、および、電槽１０の側壁１０ａ内の上部正面図である（図２（ａ）、（ｂ）と同一である。）。さらに、図６は、本実施形態の側壁１０ａ内の正面図である。
【００２４】
本実施形態では、図４（ａ）、（ｂ）に示すように、スペーサ２１は２個の長方形の板状部材２１ａからなる。
【００２５】
スペーサ２１は、図６に示すように（および、図５（ａ）の想像線で示すように）極板群２のセパレータ５の上部に装着されて、極板群２の横方向（図６において、左右の方向）の動きを防いでいる。即ち、スペーサ２１の２個の板状部材２１ａは、正極板３の耳部３ａと電槽１０の側壁１０ａの間隙，および負極板４の耳部４ａと側壁１０ａの間隙にそれらに当接するように差し渡って介在している。その他の構造は、前記実施形態と同様である。
【００２６】
本実施形態は、以下のようにして組み立てる。即ち、電槽１０の上部から極板群２を途中まで挿入し、その後スペーサ２１を装着して、極板群２とスペーサ２１を一緒に電槽１０内に挿入する。次いで、蓋１２を電槽１０に被せ、ブッシング１３に正極端子８と負極端子９を貫通させて、蓋１２と電槽１０を溶着し、また、ブッシング１３と正極端子８および負極端子９とを溶接し、さらに、ブッシング１３と正極端子８および負極端子９の隙間に接着剤１５を注入して密閉する。
【００２７】
本実施形態においても、前記実施形態と同様に、極板群２が積層方向を軸にして回転して（図６において、左右の方向に）転倒しても、蓋１２が部分的に破損したり、蓋１２とブッシング１３との間に微小な隙間が生じるのを防ぎ、電解液がしみだすことがなくなる。
【００２８】
なお、上記実施形態は、本発明を具体化した例であって、本願発明の技術的範囲を限定するものではない。例えば、スペーサの形状は上記実施形態に限定されることはない。また、スペーサは、正極ストラップと負極ストラップ、および正極板の耳部と負極板の耳部にすべてに当接するものであってもよいことは言うまでもない。
【００２９】
【発明の効果】
以上説明したように本発明によれば、極板群の正極ストラップと負極ストラップが形成された上部と電槽側壁間にスペーサを差し渡って介在させたため、密閉形鉛蓄電池が転倒しても、極板群が電槽や電槽に被せられた蓋などに与える衝撃を緩和し、破損や電解液のしみだしを防ぐことができるという優れた効果がある。
【図面の簡単な説明】
【図１】（ａ）、（ｂ）はそれぞれ、本発明の第１の実施形態に用いたスペーサの平面図および正面図である。
【図２】（ａ）、（ｂ）はそれぞれ、上記実施形態の電槽内に電極群を収容し、スペーサを介在させる前の状態の平面図、および電槽側壁内の上部正面図である。
【図３】上記実施形態の電槽側壁内の正面図である。
【図４】（ａ）、（ｂ）はそれぞれ、本発明の第２の実施形態に用いたスペーサの平面図および正面図である。
【図５】（ａ）、（ｂ）はそれぞれ、本発明の第２の実施形態の電槽内に電極群を収容し、スペーサを介在させる前の状態の平面図、および電槽側壁内の上部正面図である。
【図６】本発明の第２の実施形態の電槽側壁内の正面図である。
【符号の説明】
１、２１            スペーサ
１ａ、１ｂ、１ｃ    介在部位
１ｄ                連結部位
２                  極板群
３                  正極板
３ａ、４ａ          耳部
３ｂ、４ｂ          脚部
４                  負極板
５                  セパレータ
６                  正極ストラップ
７                  負極ストラップ
８                  正極端子
９                  負極端子
１０                  電槽
１０ａ                側壁
１１                  緩衝部材
１２                  蓋
１３                  ブッシング
１４                  液口栓
１５                  接着剤
２１ａ                板状部材
【図１】
2004362965.tif 000003
【図２】
2004362965.tif 000004
【図３】
2004362965.tif 000005
【図４】
2004362965.tif 000006
【図５】
2004362965.tif 000007
【図６】
2004362965.tif 000008